(57)【特許請求の範囲】
【請求項１】
コネクタハウジングの内部に電線が保持固定されたコネクタであって、
前記コネクタハウジングの内部を前後方向に貫通して設けられた電線収容孔と、
前記電線収容孔の内面に設けられた係止部と、
前記電線の外被覆に食い込むようにかしめ付けられる金属製のかしめ部材と、
前記電線収容孔の内面と前記かしめ部材との間に配され、前記かしめ部材に保持固定される固定部と、
前記固定部に前記電線側へ弾性変形可能に設けられ、前記電線を後方から前記電線収容孔に挿入する際に前記電線収容孔の内面に押圧されることで前記電線側に弾性変形し、前記電線が正規の挿入位置に至ると、弾性復帰して前方から前記係止部に係止するロック片とを備え、
前記固定部には、前記かしめ部材を収容することで前記かしめ部材と前後方向に係止可能な収容溝が形成されており、
前記係止部は、前記電線収容孔の軸線方向と交差する方向に凹んで形成されており、
前記ロック片の先端には、前記電線から離れる方向に突出して、前記係止部に前方から係止可能なロック爪が形成されており、
前記電線収容孔の内面には、前記固定部が後方から当接する前止まり部が形成されていることを特徴とするコネクタ。
【請求項２】
前記固定部は、複数の分割体によって形成されていることを特徴とする請求項１記載のコネクタ。
【請求項３】
前記複数の分割体は、同一形状をなしていることを特徴とする請求項２記載のコネクタ。
【請求項４】
前記係止部は、前記電線収容孔の前端開口縁部に形成され、且つ、前方に臨んでいることを特徴とする請求項１乃至請求項３の何れか一項に記載のコネクタ。
【発明の詳細な説明】
【技術分野】
【０００１】
本発明は、コネクタに関する。
【背景技術】
【０００２】
例えば、コネクタハウジングの内部に電線が固定されたコネクタとして、特許文献１に記載のものが知られている。このものは、電線の外被覆に固定される合成樹脂製のリテーナと、このリテーナを収容可能な電線収容孔が形成されたコネクタハウジングとを備えて構成されている。
【０００３】
リテーナは、リテーナの内面に設けられた一対の保持突起を電線の外被覆に食い込ませることで電線に固定される一方、リテーナの外面に設けられた抜け止め凹部と電線収容孔内に設けられた抜け止め突部とを係止させることで、電線収容孔から抜け止めされる。このように、電線に固定されたリテーナがコネクタハウジングに保持されることで、コネクタハウジング対して電線が固定されるようになっている。
【先行技術文献】
【特許文献】
【０００４】
【特許文献１】特開２０１０−２２５３７１号公報
【発明の概要】
【発明が解決しようとする課題】
【０００５】
しかしながら、上記のコネクタでは、電線の外被覆に対して一対の保持突起を食い込ませることで、リテーナを電線に固定しているので、電線に対するリテーナの保持力が低い。また、合成樹脂製の外被覆に合成樹脂製の保持突起を食い込ませているので、外被覆に対して保持突起が滑りやすくなっている。
【０００６】
また、リテーナをコネクタハウジングに係止させるには、抜け止め突部と抜け止め凹部とを無理に嵌め合う、いわゆる無理嵌めをすることになり、抜け止め突部が潰れることを防ぐには、係止代を小さくする必要がある。
【０００７】
このように、上記のコネクタによると、電線に対するリテーナの保持力及びコネクタハウジングに対するリテーナの保持力が低く、電線が抜け方向に強く引っ張られるとコネクタハウジングから電線が引き抜かれてしまう虞がある。
【０００８】
本発明は上記のような事情に基づいて完成されたものであって、コネクタハウジングから電線が引き抜かれることを規制することを目的とする。
【課題を解決するための手段】
【０００９】
上記の目的を達成するための手段として本発明は、コネクタハウジングの内部に電線が保持固定されたコネクタであって、前記コネクタハウジングの内部を前後方向に貫通して設けられた電線収容孔と、前記電線収容孔の内面に設けられた係止部と、前記電線の外被覆に食い込むようにかしめ付けられる金属製のかしめ部材と、前記電線収容孔の内面と前記かしめ部材との間に配され、前記かしめ部材に保持固定される固定部と、前記固定部に前記電線側へ弾性変形可能に設けられ、前記電線を後方から前記電線収容孔に挿入する際に前記電線収容孔の内面に押圧されることで前記電線側に弾性変形し、前記電線が正規の挿入位置に至ると、弾性復帰して前方から前記係止部に係止するロック片とを備え、前記固定部には、前記かしめ部材を収容することで前記かしめ部材と前後方向に係止可能な収容溝が形成されており、前記係止部は、前記電線収容孔の軸線方向と交差する方向に凹んで形成されており、前記ロック片の先端には、前記電線から離れる方向に突出して、前記係止部に前方から係止可能なロック爪が形成されており、前記電線収容孔の内面には、前記固定部が後方から当接する前止まり部が形成されているところに特徴を有する。
【００１０】
このような構成のコネクタによると、電線の外被覆に強固にかしめ付けられた金属製のかしめ部材に固定部を保持固定させているので、従来のように電線の外被覆に合成樹脂製の突起を食い込ませることで固定部を電線に係止させるよりも、電線に対する固定部の保持力を向上させることができる。これにより、固定部が電線に対して前後方向に位置ずれすることを確実に規制することができる。
また、固定部に設けられたロック片を電線収容孔の係止部に前方から係止させることで、固定部が電線収容孔から後方へ抜けることを規制することができる。これにより、コネクタハウジングから電線が引き抜かれることを規制することができる。
また、ロック片が電線の挿入過程において弾性変形し、弾性復帰することで電線収容孔の係止部に前方から係止するので、従来のように凸部と凹部とを無理嵌めする場合に比べて、係止部とロック片との係止代を小さくする必要がない。また、ロック片が潰れることで、係止代が小さくなることを防止することができる。これにより、ロック片が前方から係止部に係止する係止代を大きくすることができ、係止部とロック片との係止力を向上させることができる。
すなわち、電線に対する固定部の保持力を向上させ、かつ、コネクタハウジングに対する固定部の後方への係止力を向上させることができるので、コネクタハウジングから電線が引き抜かれることを確実に規制することができる。
【００１１】
また、かしめ部材に対して固定部を前後方向に係止させて固定部をかしめ部材に保持固定すると共に、ロック片を前方から係止部に係止させ、且つ、固定部が前止まり部に当接して前止まりされるので、固定部を電線収容孔内において前後方向に移動することなく保持することができる。これにより、コネクタハウジングの電線収容孔内に電線を確実に保持固定することができる。
本発明の実施の態様として、以下の構成が好ましい。
【００１２】
前記固定部は、複数の分割体によって前記かしめ部を全周に亘って包囲するように形成されている構成としてもよい。
このような構成によると、電線の端末に端子金具を接続した後にかしめ部材をかしめ付け、複数の分割体を装着することで、固定部を装着することができるので、固定部を電線に先通しする必要がなく、作業効率を良くすることができる。
【００１３】
前記複数の分割体は、同一形状をなしている構成としてもよい。
このような構成によると、一種類の分割体によって固定部を構成することができるので、形状の異なる複数の分割体によって固定部を構成する場合に比べて、分割体の製造コストを低減することができる。また、分割体の部品管理を容易にすることができる。
【００１４】
前記係止部は、前記電線収容孔の前端開口縁部に形成され、且つ、前方に臨んでいる構成としてもよい。
係止部が例えば電線収容孔の前後方向中央付近に設けられている場合には、メンテナンスなどでコネクタハウジングから電線を離脱させる際に、電線収容孔の中央付近まで治具などを差し込むなどして、ロック片を弾性変形させてロック片と係止部との係止状態を解除することになる。それに対して、このような構成によると、係止部が電線収容孔の開口縁部において前方に臨んだ形態となっているので、治具などを電線収容孔の奥部に差し込むことなく前方からロック片を弾性変形させて、ロック片と係止部との係止状態を容易に解除することができる。
【発明の効果】
【００１５】
本発明によれば、コネクタハウジングに対する電線の保持力を向上させることができる。
【図面の簡単な説明】
【００１６】
【図１】コネクタの斜視図
【図２】コネクタの平面図
【図３】コネクタの側面図
【図４】コネクタの底面図
【図５】コネクタの正面図
【図６】図５のＶＩ−ＶＩ線断面図
【図７】図２のＶＩＩ−ＶＩＩ線断面図
【図８】図６の要部拡大断面図
【図９】電線に固定部が装着された状態を示した斜視図
【図１０】電線に固定部が装着された状態を示した平面図
【図１１】電線に固定部が装着された状態を示した側面図
【図１２】電線に固定部を装着する前の状態を示した斜視図
【図１３】コネクタハウジングの背面図
【図１４】コネクタハウジングに電線が上下逆に挿入されて、ワイヤバレルと誤組防止部とが当接した状態を示す拡大図
【発明を実施するための形態】
【００１７】
＜実施形態＞
本発明の実施形態について図１乃至図１４を参照して説明する。
本実施形態におけるコネクタ１０は、例えばインバータ装置等の機器のケースに設けられた図示しない取付孔に嵌合されるものであって、バッテリなどの電源供給装置からインバータ装置に電力を供給する複数の電線４０の途中に接続されている。また、このコネクタ１０は、電線４０をコネクタハウジング１１に貫通させることで、電線４０の端末に接続された端子金具４１が遊動可能とされており、ケース内に設けられた図示しない端子台に対して端子金具４１が容易にアライニングできるようになっている。なお、以下の説明において、上下方向とは図３における上下方向を基準とし、前後方向とは、図３における右側を前方、左側を後方とし、左右方向とは図５における左右方向を基準とする。
【００１８】
コネクタ１０は、図１に示すように、アルミダイキャスト製のコネクタハウジング１１を備えている。コネクタハウジング１１の内部には、図１及び図６に示すように、複数の電線収容孔１２が左右方向に並んで形成されている。各電線収容孔１２は、前後方向に貫通して形成されており、各電線収容孔１２には、電線４０が前後方向に貫通した状態で個別に収容されている。
【００１９】
電線４０は、図９及び図１０に示すように、複数の金属素線からなる芯線４２と、この芯線４２を覆う合成樹脂製の外被覆４３とを備えて構成されており、電線４０の端末には端子金具４１が接続されている。
【００２０】
端子金具４１は、プレス加工により打ち抜き加工や折り曲げ加工などを施すことによって形成されている。端子金具４１の一端側には、電線４０の芯線４２をかしめ付けるバレル部４１Ｂが形成されており、他端側には、バレル部４１Ｂの底板から前方に延びる平板状の接続片４１Ａが形成されている。バレル部４１Ｂは、接続片４１Ａよりも上側に張り出した形態となっている。また、接続片４１には、板厚方向に貫通する長孔形状のボルト孔４１Ｃが形成されている。
【００２１】
電線収容孔１２の後端開口には、図６及び図７に示すように、弾性材からなるゴム栓１３が装着されている。ゴム栓１３は軸孔１４を有し、この軸孔１４には電線４０が挿通されている。また、ゴム栓１３は、電線４０と共に電線収容孔１２に挿入され、電線４０の外周面と電線収容孔１２の内周面とに密着するようになっている。これにより、電線４０の外周面と電線収容孔１２の内周面との間から電線収容孔１２内に水や埃などの異物が浸入することを防止している。
【００２２】
ゴム栓１３の後方には、ゴム栓１３の後方への抜け止めを行うゴム栓押さえ１５が装着されている。このゴム栓押さえ１５は、左右方向に横長に形成されており、各電線収容孔１２に装着されたゴム栓１３を一括して後方から抜け止めしている。ゴム栓押さえ１５の外周面には、図４に示すように、複数の保持突起１６が突設されている。この保持突起１６は、電線収容孔１２の後端開口部に設けられた係止孔１７の内周面に係止することで、ゴム栓押さえ１５が後方へ抜けることを規制している。これにより、ゴム栓１３は後方へ抜け止めされている。
【００２３】
コネクタハウジング１１は、図１乃至図３に示すように、前方部分が図示しないケースの取付孔に嵌合される嵌合部１８とされており、後方部分がシェル取付部１９とされている。
【００２４】
嵌合部１８の外面には、弾性材からなる環状のゴムリング２０が装着されている。このゴムリング２０は、コネクタ１０をケースの取付孔に嵌合させた際に、取付孔からケース内に水や埃などの異物が浸入することを防止している。
【００２５】
シェル取付部１９には、図１及び図７に示すように、後方からシールドシェル２１が装着されるようになっている。このシールドシェル２１は、シェル取付部１９の上面に設けられた図示しないボルト締結孔にボルトＢを締結することで装着されている。
シェル取付部１９の左右方向両端部には、一対の固定片２２が形成されている。この固定片２２は、シェル取付部１９の左右方向両端部から左右方向に張り出すように設けられている。固定片２２には、上下方向に貫通するボルト挿通孔２２Ａが形成されており、このボルト挿通孔２２Ａに図示しないボルトを挿通させて、ケースに締め込むことで、コネクタハウジング１１をケースに固定することができるようになっている。
【００２６】
さて、電線４０は、図６乃至図８に示すように、電線４０と電線収容孔１２の内面との間に配されたターミナルロック５０によって電線収容孔１２内に保持固定されている。
以下に、電線４０をターミナルロック５０によってコネクタハウジング１１に保持固定する構造について説明する。
【００２７】
電線４０の外被覆４３には、金属製のかしめ片（本発明の「かしめ部材」の一例）４４がかしめ付けられ、更にその外周にターミナルロック５０が装着されている。
かしめ片４４は、図１２に示すように、略矩形状の金属板の側縁を対向させるように電線４０に回曲することで、円筒状に形成されている。また、かしめ片４４は、図８に示すように、かしめ片４４の前端部及び後端部における内周角部４４Ａが電線４０の外被覆４３に食い込むと共に、かしめ片４４の前端部及び後端部における外周角部４４Ｂが外被覆４３から外側に僅かに突出するようにかしめ付けられている。これにより、かしめ片４４は、外被覆に合成樹脂製の保持突起を食い込ませる場合に比べて、外被覆に強固に固定された状態となっている。また、かしめ片４４の前端面４５は、電線４０の軸線方向と直交して、且つ、前方に臨んだ面とされ、かしめ片４４の後端面４６は、電線４０の軸線方向と直交して、且つ、後方に臨んだ面とされている。
【００２８】
ターミナルロック５０は、図６及び図８に示すように、円環状の固定部５１と、固定部５１と一体に設けられた一対のロック片５２とを備えている。
固定部５１は、かしめ片４４を全周に亘って包囲するように形成されており、固定部５１の外径寸法は、図６に示すように、電線収容孔１２の左右方向の寸法とほぼ同じ寸法に設定されている。
また、ターミナルロック５０は、図９及び図１２に示すように、一対の半割体（本発明の「分割体」の一例）５３を互いに組み付けることで構成されており、各半割体５３にロック片５２が一つずつ形成されている。
【００２９】
両半割体５３は、同一形状をなし、かしめ片４４を全周に亘って包囲するように、電線４０の両側から組み付けられている。すなわち、ターミナルロック５０は、一種類の半割体５３によって構成されている。したがって、形状の異なる複数の半割体によってターミナルロック５０を構成する場合に比べて、半割体５３の製造コストを低減すると共に、半割体５３の部品管理を容易にすることができる。また、電線４０の端末に端子金具４１を接続した後にかしめ片４４をかしめ付け、両半割体５３を装着することで、ターミナルロック５０を電線４０に装着することができるので、ターミナルロック５０を電線４０に先通しする必要がなく、作業効率を良くすることができる。
【００３０】
固定部５１の内側には、図８に示すように、収容溝５４が形成されている。この収容溝５４の内部には、電線４０の外被覆４３から突出したかしめ片４４が収容可能とされており、収容溝５４の前側の内面は、かしめ片４４の前端面４５と係止可能とされ、収容溝５４における後側の内面は、かしめ片４４の後端面４６と係止可能とされている。
【００３１】
したがって、固定部５１は、収容溝５４内にかしめ片４４が収容された状態において、収容溝５４の前側の内面がかしめ片４４の前端面４５に前方から係止することで、電線４０に対して後方に移動できないように規制され、かつ、収容溝５４の後側の内面がかしめ片４４の後端面４６に後方から係止することで、電線４０に対して前方に移動できないように規制される。これにより、固定部５１を電線４０に対して前後方向に移動できないように保持固定することができる。ひいては、ターミナルロック５０を電線４０に対して前後方向に移動できないように保持固定することができる。
【００３２】
半割体５３の合わせ部分には、図１０及び図１２に示すように、一方に保持突起５５が設けられ、他方に係止孔５６Ａが設けられた係止片５６が設けられている。保持突起５５は、両半割体５３を互いに組み付けた状態において、相手側の係止孔５６Ａに収容されて係止片５６と係止する。これにより、両半割体５３を組み付けた状態に保持できるようになっている。
【００３３】
ロック片５２は、固定部５１の前端面における外周縁部から前方に突出して形成されている。また、ロック片５２は、半割体５３の円弧状の外周縁部における中央部分に配されており、電線４０とロック片５２との間に設けられた撓み空間Ｓに弾性変形可能とされている。すなわち、ロック片５２は電線４０を中心に両側に一対配され、電線４０側に向かって弾性変形可能とされている。
【００３４】
ロック片５２の前端部には、図８及び図１０に示すように、ロック爪５７が形成されている。このロック爪５７は、電線４０の軸線と直交すようにして電線４０とは反対側に突出して形成されている。また、ロック爪５７は、前端から後方に向かって電線４０から離れる方向に傾斜して延び、その後端からロック爪５７の外面と平行に後方に向かって僅かに延びて、さらにその後端からロック片５２の外面に向かって延びた形態をなしている。また、ロック爪５７における前側の傾斜した面は傾斜面５７Ａとされ、ロック爪５７における後側の面は、係止面５７Ｂとされている。また、図８に示すように、両ロック爪５７の突出端間の寸法aは、電線収容孔１２の左右方向の寸法ｂよりも大きく設定されている。一方、電線収容孔１２の前端開口部における左右方向両端には、係止凹部（本発明の「係止部」の一例）２３が形成されている。この係止凹部２３は、電線収容孔１２の軸線と直交する左右方向に凹んで、且つ、前方に臨んだ形態とされている。
【００３５】
係止凹部２３の内部には、図８に示すように、ロック片５２のロック爪５７が収容可能とされている。また、係止凹部２３の後面２３Ａは、電線収容孔１２の軸線と直交した面とされており、係止凹部２３内にロック爪５７が収容された状態において、ロック爪５７の係止面５７Ｂが前方から係止可能とされている。これにより、ロック爪５７は、係止凹部２３に対して前方から係止し、ターミナルロック５０を電線収容孔１２から後方へ抜け止めすることができる。
【００３６】
また、電線収容孔１２の内周面における上側及び下側には、図１３に示すように、内側に向かって張り出す前止まり部２４が形成されている。この前止まり部２４には、固定部５１の前端面における上端部及び下端部が後方から当接可能とされており、図７に示すように、電線収容孔１２内において電線４０が正規の位置まで挿入されると、固定部５１の前端面が前止まり部２４と当接して固定部５１が前止まりされるようになっている。
【００３７】
すなわち、ターミナルロック５０は、固定部５１を電線４０にかしめ付けたかしめ片４４に前後方向に係止させることで、電線４０に対して前後方向に位置ずれしないように保持固定され、かつ、ロック片５２を係止凹部２３に前方から係止させると共に、固定部５１を前止まり部２４に後方から当接させることで、電線収容孔１２内において前後方向に位置ずれしないように抜け止めされている。これにより、電線収容孔１２内に電線４０を確実に保持固定することができるようになっている。
【００３８】
また、下側に配された前止まり部２４は、図１３に示すように、上側に配された前止まり部２４に比べて、左右方向両端部が更に内側へ張り出した形状をなしている。これにより、端子金具４１を上下反転させて、バレル部４１Ｂが接続片４１Ａよりも下側に張り出した反転姿勢で、電線収容孔１２に端子金具４１を挿入しようとしたときには、図１４に示すように、端子金具４１のバレル部４１Ｂの前端面が下側に配された前止まり部２４に後方から突きあたり、端子金具４１を反転姿勢で電線収容孔１２に挿通することができないようになっている。
【００３９】
本実施形態は以上のような構成であって、続いてコネクタ１０の取付手順を説明する。
まず、端子金具４１が接続された電線４０を用意し、図１２に示すように、外被覆４３の所定の位置に、かしめ片４４の内周角部４４Ａが外被覆４３に食い込むようにかしめ片４４を治具等によってかしめ付ける。かしめ片４４が固定されたところで、両半割体５３を電線４０の両側からかしめ片４４を覆うように電線４０に組み付け、保持突起５５と係止片５６とを係止させることで、図９及び図１０に示すように、電線４０にターミナルロック５０を装着する。このとき、固定部５１の収容溝５４にかしめ片４４が収容されて、固定部５１における収容溝５４の前側の内面がかしめ片４４の前端面４５に前方から係止し、収容溝５４の後側の内面がかしめ片４４の後端面４６に後方から係止することで固定部５１が前後方向に係止される。これにより、電線４０に対して固定部５１が前後方向に移動できないように固定され、ターミナルロック５０が電線４０に保持固定される。
【００４０】
次に、ターミナルロック５０が装着された電線４０をコネクタハウジング１１の電線収容孔１２に後方から挿入する。このとき、端子金具４１のバレル部４１Ｂが接続片４１Ａよりも上側に張り出した正規の姿勢で端子金具４１を挿入すると共に、ターミナルロック５０の両ロック片５２が電線４０を中心に左右方向両側に配されるようにしてターミナルロック５０を挿入する。
ところが、端子金具４１が上下反転した反転姿勢（バレル部４１Ｂを接続片４１Ａよりも下側に張り出した姿勢）で、端子金具４１を電線収容孔１２に挿入しようとすると、図１４に示すように、端子金具４１のバレル部４１Ｂの前端面が下側に配された前止まり部２４に後方から突きあたり、端子金具４１を反転姿勢で電線収容孔１２に挿通することを規制できるようになっている。
【００４１】
また、この電線４０の挿入過程において、ターミナルロック５０を電線収容孔１２内に挿入する際には、ロック爪５７の傾斜面５７Ａが電線収容孔１２の後端開口縁部に当接して、傾斜面５７Ａが電線収容孔１２の左右方向両側の内面によって押圧される。続けて電線４０を電線収容孔１２に挿入すると、両ロック片５２は、両ロック爪５７の傾斜面５７Ａが左右方向両側から押圧されることで電線４０側に弾性変形し、ロック爪５７が電線収容孔１２の内面に乗り上げることで、電線収容孔１２に収容される。そして、電線４０が正規の挿入位置に至ると、図６及び図８に示すように、両ロック爪５７が電線収容孔１２の係止凹部２３に収容されることで弾性復帰し、ロック爪５７の係止面５７Ｂが係止凹部２３の後面２３Ａに後方から係止される。また、図７に示すように、固定部５１の前端面が電線収容孔１２に形成された前止まり部２４に後方から当接する。これにより、固定部５１が電線収容孔１２内において前後方向に位置ずれしないように抜け止めされ、電線４０が電線収容孔１２内において確実に保持固定される。
【００４２】
最後に、電線４０に先通ししておいたゴム栓１３を電線収容孔１２の後端開口部に挿入してゴム栓押さえ１５を装着し、更にその後方からシールドシェル２１を取り付けることで、コネクタ１０が完成する。
【００４３】
以上のように、本実施形態によると、固定部５１を電線４０にかしめ付けたかしめ片４４に前後方向に係止させることで、ターミナルロック５０を電線４０に対して前後方向に位置ずれしないように固定することができる。また、ロック片５２を係止凹部２３に前方から係止させると共に、固定部５１が前止まり部２４によって前止まりされることで、固定部５１を電線収容孔１２内において前後方向に位置ずれしないように抜け止めすることができる。これにより、電線収容孔１２内に電線４０を確実に保持固定することができる。
【００４４】
また、本実施形態によると、電線４０の外被覆４３に強固にかしめ付けられた金属製のかしめ片４４に固定部５１を前後方向に係止させて、固定部５１を保持固定することができるので、従来のように電線４０の外被覆４３に合成樹脂製の突起を食い込ませることで固定部を電線４０に固定させるよりも、電線４０に対する固定部５１の保持力を向上させることができる。
【００４５】
また、本実施形態によると、ロック片５２が電線４０の挿入過程において電線４０側に弾性変形し、弾性復帰することで電線収容孔１２の係止凹部２３に前方から係止するので、従来のように凸部と凹部とを無理嵌めする場合に比べて、係止凹部２３とロック爪５７との係止代を小さくする必要がない。また、従来のように凸部と凹部とを無理嵌めすると、ロック爪が潰れることで係止代が小さくなる虞があるが、本実施形態によると、ロック爪５７が潰れることがないので、係止代が小さくなることを防止することができる。これにより、ロック片５２が前方から係止凹部２３に係止する係止代を大きくすることができ、係止凹部２３とロック片５２との係止力を向上させることができる。
【００４６】
すなわち、本実施形態によると、電線４０に対するターミナルロック５０の保持力を向上させ、かつ、コネクタハウジング１１に対するターミナルロック５０の係止力を向上させることができるので、従来のものに比べて、コネクタハウジング１１に対する電線４０の保持力を向上させることができる。
【００４７】
また、電線収容孔１２の前後方向中央付近に収容凹部を形成して、ロック片５２と係止凹部とを電線収容孔１２の前後方向中央付近において係止させる構成も考えられるが、その場合には、メンテナンスなどでコネクタハウジング１１から電線４０を離脱させる際に、電線収容孔１２の中央付近まで治具などを差し込むなどして、ロック片５２を弾性変形させ、ロック片５２と係止凹部との係止状態を解除することになる。
それに対して、本実施形態によると、係止凹部２３は電線収容孔１２の前端開口縁部に形成され、且つ、前方に臨んだ形態となっているので、コネクタハウジング１１から電線４０を離脱させる際に、治具などを電線収容孔１２の奥部に差し込むことなく前方からロック片５２を弾性変形させて、ロック片５２と係止凹部２３との係止状態を容易に解除することができる。
【００４８】
＜他の実施形態＞
本発明は上記記述及び図面によって説明した実施形態に限定されるものではなく、例えば次のような実施形態も本発明の技術的範囲に含まれる。
（１）上記実施形態では、電線収容孔１２の内面に前止まり部２４を設けた構成としたが、参考例として、例えば、端子金具４１を締結する端子台側において端子金具４１を前止まりさせることで、電線収容孔１２の内面に前止まり部２４を形成しない構成としてもよい。
（２）上記実施形態では、コネクタハウジング１１をアルミダイキャスト製としたが、本発明はこのような態様に限定されるものではなく、例えば、コネクタハウジング１１を合成樹脂などによって構成してもよい。
（３）上記実施形態では、ターミナルロック５０を一対の半割体５３よって構成したが、本発明はこのような態様に限定されるものではなく、例えば、３つや４つの分割体によって構成してもよい。
【００４９】
（４）上記実施形態では、固定部５１の収容溝５４にかしめ片４４を収容して、固定部５１とかしめ片４４とを係止させる構成としたが、参考例として、例えば、かしめ片に凹部を形成し、固定部に凹部に係止する凸部を形成することで、固定部とかしめ片とを係止させる構成としてもよい。
（５）上記実施形態では、固定部５１に一対のロック片５２を設けた構成としたが、本発明はこのような態様に限定されるものではなく、例えば、固定部５１に１つや３つ以上のロック片を設ける構成としてもよい。
（６）上記実施形態では、かしめ部材を金属板状のかしめ片４４として構成したが、本発明はこのような態様に限定されるものではなく、例えば、かしめ部材をリング状のかしめリングとしてもよい。
【符号の説明】
【００５０】
１０：コネクタ
１１：コネクタハウジング
１２：電線収容孔
２３：係止凹部(係止部)
２４：前止まり部
４０：電線
４４：かしめ片（かしめ部材）
５１：固定部
５２：ロック片
５３：半割体(分割体）
５４：収容溝
５７：ロック爪
【図１】
0005644682.tif 000002
【図２】
0005644682.tif 000003
【図３】
0005644682.tif 000004
【図４】
0005644682.tif 000005
【図５】
0005644682.tif 000006
【図６】
0005644682.tif 000007
【図７】
0005644682.tif 000008
【図８】
0005644682.tif 000009
【図９】
0005644682.tif 000010
【図１０】
0005644682.tif 000011
【図１１】
0005644682.tif 000012
【図１２】
0005644682.tif 000013
【図１３】
0005644682.tif 000014
【図１４】
0005644682.tif 000015